(57)【特許請求の範囲】
【請求項１】
紙幣を金種別に所定枚数ずつ結束して該結束紙幣を収納部へ収容する機能を有する紙幣処理装置において、前記結束紙幣に添付された非接触タグとの情報通信を行うためのアンテナを有し、前記収容部に設けられた前記アンテナを介した各非接触タグとの間の通信により、前記結束紙幣及び前記アンテナを機械的に移動することなく前記収納部内の全ての非接触タグの記憶情報を瞬時に読出すタグ情報読出手段と、前記収納部に収納されている当該結束紙幣の金種を前記非接触タグの読出情報に基づいて検出する金種検出手段とを備え、前記収納部内の有り高を非接触で瞬時に精査し得るようにしたことを特徴とする紙幣処理装置。
【請求項２】
前記各非接触タグとの間の通信が時分割多重方式によって行われる請求項１に記載の紙幣処理装置。
【請求項３】
前記非接触タグがシール状であって、前記紙幣の結束時に結束用帯体に貼付するようになっている請求項１に記載の紙幣処理装置。
【請求項４】
前記非接触タグがシート状であって、前記紙幣の結束時に集積紙幣に追加して結束するようになっている請求項１に記載の紙幣処理装置。
【請求項５】
前記紙幣の結束時に、少なくとも金種を特定する情報を当該非接触タグに記録するようになっている請求項１乃至４のいずれかに記載の紙幣処理装置。
【請求項６】
前記非接触タグがＩＤ情報のみを有し、前記紙幣の結束時に前記ＩＤ情報に対応させて少なくとも金種を含む情報を装置側の記憶部に記録するようになっている請求項１乃至４のいずれかに記載の紙幣処理装置。
【請求項７】
前記結束紙幣の出金時に前記非接触タグの情報に基づき当該結束紙幣の金種を確認するようになっている請求項１乃至６のいずれかに記載の紙幣処理装置。
【発明の詳細な説明】
【０００１】
【発明の属する技術分野】
本発明は、銀行等の金融機関において使用される紙幣入出金機や紙幣入金整理機等の紙幣処理装置に関し、特に、紙幣を識別して種類別に分類すると共に、分類された紙幣を所定枚数ずつ結束して装置内に収納し、収納した結束紙幣を必要に応じて投出する機能を有する紙幣処理装置に関する。
【０００２】
【従来の技術】
従来、所定枚数ずつ結束した紙幣束（以下、結束紙幣と言う）を収納する金庫などの収納庫を備え、収納庫内部の結束紙幣の束数を計数する機能を備えたものとしては、例えば特開平１１−２３８１６０号公報に示されるものがある。この公報には、結束紙幣の集積方向に移動可能な光学式センサを金庫内に設け、小束の紙帯の光反射量と小束相互間の隙間の光反射量との相違を光学式センサにより検出し、その相違に基づいて小束数を計数するようになっている装置が開示されている、また、小束相互間の隙間が検知できなかったときのために、光学式センサの移動距離を測定するエンコーダを設け、そのエンコーダで測定した光学式センサの移動距離と小束の厚さとから得た小束数を用いて上記の計数値を補完し、当該金庫内部の小束数を確定することが開示されている。
【０００３】
上記のような結束紙幣の計数機能に加えて、金額の集計機能を備えたものとしては、例えば特開平１１−２５９７２１号公報に示されるものがある。この公報には、上述した特開平１１−２３８１６０号公報と同一方式の束数計数用の光学式センサ（第１のセンサ）を金庫内に設け、さらに、結束用帯体に添付された識別子を読取るための第２のセンサを設けて、これらの第１，第２のセンサを移動させながら、集積されている結束紙幣の束数を第１のセンサの出力信号に基づいて確定し、集積されている各結束紙幣の金種を第２のセンサの出力信号に基づいて判別するようになっているシステムが開示されている。また、バーコードなどから成る金種特定用の情報を識別子として、所定枚数の紙幣を結束する際に、結束対象の紙幣の主面に垂直な帯体の側面に印字しておき、上記第２のセンサを用いて印字情報を読取って当該結束紙幣の金種を検出すると共に、上記第１のセンサを用いて結束紙幣の数を計数し、金庫内に集積されている紙幣の総額を集計することが開示されている。
【０００４】
【発明が解決しようとする課題】
ところで、上述した結束紙幣を取扱う従来の装置やシステムでは、センサが搭載された検出部を移動するか、あるいは検出媒体である結束紙幣を移動する必要があるため、計数処理や金種判定処理に時間がかかり、また、移動機構のための空間が必要となるという欠点があった。さらに、機械的移動に伴う紙幣のジャムやかみ込み等の機械的トラブルを誘発し、本来の機能を失ってしまう危険性が高かった。
【０００５】
本発明は上述のような事情から成されたものであり、本発明の目的は、装置内に収納されている結束紙幣を、機械的に移動することなく、瞬時に検出・精査することができる紙幣処理装置を提供することにある。
【０００６】
本発明は、紙幣を金種別に所定枚数ずつ結束して該結束紙幣を収納部へ収容する機能を有する紙幣処理装置に関するものであり、本発明の上記目的は、前記結束紙幣に添付された非接触タグとの情報通信を行うためのアンテナを有し、前記収容部に設けられた前記アンテナを介した各非接触タグとの間の通信により、前記結束紙幣及び前記アンテナを機械的に移動することなく前記収納部内の全ての非接触タグの記憶情報を瞬時に読出すタグ情報読出手段と、前記収納部に収納されている当該結束紙幣の金種を前記非接触タグの読出情報に基づいて検出する金種検出手段とを備え、前記収納部内の有り高を非接触で瞬時に精査し得るようにすることによって達成される。また、前記各非接触タグとの間の通信が時分割多重方式によって行われること；前記非接触タグがシール状であって、前記紙幣の結束時に結束用帯体に貼付すること；前記非接触タグがシート状であって、前記紙幣の結束時に集積紙幣に追加して結束すること；前記紙幣の結束時に、少なくとも金種を特定する情報を当該非接触タグに記録すること；前記非接触タグがＩＤ情報のみを有し、前記紙幣の結束時に前記ＩＤ情報に対応させて少なくとも金種を含む情報を装置側の記憶部に記録すること；前記非接触タグの情報に基づき当該結束紙幣の金種を確認すること；によってそれぞれ一層効果的に達成される。
【０００７】
【発明の実施の形態】
本発明の紙幣処理装置では、結束紙幣の検出及び金種の識別媒体として非接触タグを用い、機械的な移動を伴うことなく、結束紙幣に添付された非接触タグの情報を読出し、その情報を基に金種を検出すると共に束数を計数して収納庫内の結束紙幣の有り高を瞬時に精査し得るようにしている。以下に説明する好適な実施の形態では、非接触タグを結束紙幣に添付する手段を備え、入金紙幣を金種別に分類して所定枚数ずつ結束する際に、非接触タグを結束紙幣に添付して装置内に収容するようにしている。
【０００８】
以下、図面に基づいて本発明の好適な実施の形態について詳細に説明する。
【０００９】
図１は、本発明の紙幣処理装置に適用されるタグ情報読出手段の構成例を示している。図１において、タグ情報読出手段３０はタグリーダ（又はタグリーダライタ）３１及びそのアンテナ部３２から構成され、束紙幣収容部２０の上方にアンテナ部３２部が配置されている。束紙幣収容部２０には、後述する方式により非接触タグが結束紙幣１毎に添付されて収納される。束紙幣収容部２０は本例では金種別の収容ユニット２１を備えており、当該収容ユニット２１内の昇降自在な受板上に当該金種の結束紙幣１が集積されて収納され、必要に応じて投出されるようになっている。タグ情報読出手段３０の読取範囲は束紙幣収容部２０内の全空間であり、制御部１０からの読出指令により束紙幣収容部２０内の全てのタグ情報を瞬時に読出せるように構成されている。
【００１０】
ここで、本発明に係る非接触タグの読出方式について図２を参照して説明する。結束紙幣１に添付される非接触タグ２は、ＩＣ又はシリコンのチップ，アンテナ等から構成されるタグであり、本例ではパッシブ型のタグ（外部から供給される電磁波を整流することにより動作電力を得るタイプのタグ）を適用している。タグ情報読出手段３０では、例えばＴＤＭＡ（時分割多重）方式を用いることで、各結束紙幣１に添付されている複数のタグ２（タグ１〜タグｎ）を１度に読出すようにしている。具体的には、図１に示した制御部１０からの読出指令を受けたタグリーダ３１が、アンテナ部３２からマルチリード用のコマンドＭＲＣを送信する。コマンドＭＲＣを受信した各タグ２は、内部で発生した乱数によって応答するタイムスロットを選択して、要求されたデータＴＤ（ＴＤ１〜ＴＤｎ）をメモリから読出して送信する。
【００１１】
紙幣処理装置の制御部１０では、タグ２からのデータＴＤに基づいて当該結束紙幣１の金種を検出する。金種を検出する方法としては、例えば当該結束紙幣１の金種情報をＩＤに対応させて装置側の記憶部に記録しておいて検出する方法と、非接触タグ２側に記録しておいて検出する方法とがある。前者の方法では、例えばタグを特定するＩＤ情報のみを有する非接触タグを用い、結束紙幣１の結束時にタグのＩＤ情報に対応させて金種，作成日等の情報（少なくとも金種を特定する情報）を装置側の記憶部に記録しておき、金種を検出する際には、非接触タグからＩＤ情報を読出して、当該ＩＤに対応する金種情報を読出して検出する。後者の方法では、タグ情報を書込むためのリーダライタを設け、例えば結束時に金種，作成日，ＩＤ等（少なくとも金種を特定する情報）を非接触タグに記録しておき、金種を検出する際には、非接触タグから金種情報を読出して検出する。
【００１２】
このような検出方法を採用することにより、装置内に収納されている結束紙幣１を、機械的に移動することなく、瞬時に検出・精査することが可能となる。以下、非接触タグの添付形態の例、及び紙幣処理装置の全体構成の例を示して説明する。
【００１３】
図３（Ａ）〜（Ｃ）は、非接触タグの結束紙幣への添付形態の例を示しており、図３（Ａ）は、結束紙幣１の結束用帯体３に所定の長さ毎に予め非接触タグ２を付しておき、結束用帯体３を用いて結束することで非接触タグ２を添付する形態（以下、第１の添付形態と言う）を示している。図３（Ｂ）は、シール状の非接触タグ２ａを用い、結束紙幣１の結束用帯体３に貼付することで非接触タグ２を添付する形態（以下、第２の添付形態と言う）を示している。図３（Ｃ）は、非接触タグ２を付したシート（本例では、紙幣と同一形状の用紙）２ｂを集積紙幣１に追加した状態で結束することで非接触タグ２を添付する形態（以下、第３の添付形態と言う）を示している。なお、第１及び第２の添付形態において、幅広の結束用帯体を用いて帯体の側面に添付するようにしても良いが、その場合は、図１において、タグリーダのアンテナ部３２を束紙幣収容部２０の側方に配置し、アンテナ面が束紙幣収容部２０の側面全域をカバーするように構成する必要があるため、本例のように、結束紙幣１の主面側に非接触タグ２を添付する方が好ましい。
【００１４】
以下に、上記第１〜第３の添付形態に対応する紙幣処理装置を第１〜第３の実施例として、それぞれ具体例を示して説明する。
【００１５】
図４は、本発明に係る紙幣処理装置の第１の実施例を断面構造図で示しており、図５はその主要部の構成例をブロック図で示している。本発明に係る紙幣処理装置は、入金された紙幣の識別機能、金種別の分類機能、バラ紙幣の結束機能、結束紙幣への非接触タグの添付機能、結束紙幣の収納機能、結束紙幣の出金機能等を備えており、図５のブロック図に示すように、制御部１０、紙幣入金部６１、繰出手段６２、識別部６３、リジェクト紙幣排出部６４、バラ紙幣出金部６５、表裏反転部６６、バラ紙幣一時保留部６７、バラ紙幣収納部６８、非接触タグ添付手段５０、結束用紙幣一時保留部６９、紙幣結束部７０、束紙幣収納部２０、タグ情報読出手段３０、タグ情報書出手段４０、束紙幣出金部７１、表示部７２、操作部７３等から構成されている。
【００１６】
上述にような構成において、先ず、紙幣処理装置の全体の動作を図４の断面構造図を参照して説明する。図４において、装置本体の上部には紙幣入金口６１ａが設けられており、立位姿勢でセットされた紙幣Ｐは、繰出部６２により１枚づつ繰り出されて識別部６３へと搬送され、正常紙幣か否かが判断され、正常紙幣でないと判断されたのであれば、リジェクト紙幣排出口６４ａへ送られて排出される。正常紙幣であると判断された紙幣は、その金種が判別され、表裏反転部６６により面の向きが揃えられた後、当該金種のバラ紙幣一時保留部６７に集積されて一時保留される。紙幣入金口６１ａに投入された紙幣が全て繰り出されバラ紙幣一時保留部６７に一時保留された時点で、入金紙幣の合計金額が表示部７２に表示され、係員が操作部７３により入金額の承認を行うことによって、バラ紙幣一時保留部６７の底板が開放され一時保留紙幣がバラ紙幣収納部６８へ収納され、入金処理が完了する。
【００１７】
上記の入金処理の後、バラ紙幣収納部６８の収納量が所定量以上に達した場合、バラ紙幣の結束処理が行われる。制御部１０では、結束対象の当該金種の紙幣をバラ紙幣収納部６８から繰り出して結束用紙幣一時保留部６９へ搬送すると共に所定枚数に達したか否かを判断し、所定枚数に達したのであれば、その一時保留部の底板を開いて下のスタッカ６９ａへ移行させる。そして、把持機構を駆動制御して所定枚数のバラ紙幣をスタッカ６９ａから把持して取出し、紙幣結束部７０により結束用帯体をバラ紙幣に巻回して結束する。その際、非接触タグ添付手段５０により非接触タグを当該結束紙幣に添付する。
【００１８】
図６は、本発明に係る紙幣処理装置の第１の実施例における非接触タグの添付方式を示しており、第１の実施例では、非接触タグ添付手段５０は、予め非接触タグ２が所定の長さＷ毎に付された結束用帯体３を備えており、巻回機構により当該結束紙幣に結束用帯体３を巻回して所定の長さＷで切断して結束することによって、図３（Ａ）に示したように非接触タグ２を結束紙幣１の上面（若しくは下面）に添付する。
【００１９】
上記のようにして非接触タグ２が添付された結束紙幣は、ガイドレールに沿って水平方向に移動されて束紙幣収納部２０の当該収容ユニットに収納される。束紙幣収納部２０に収納された結束紙幣は、操作部７３からの出金指示により、当該収容ユニットから取出されてシャッタ付きの束紙幣出金部７１へと搬送され、該当の金額分の結束紙幣が出金される。その際、制御部１０では、当該金種の収容ユニットから取出した結束紙幣に添付されている非接触タグの情報をタグリーダ３１ｂのアンテナ部３２ｂを介してタグ情報読出手段３０により読出し、そのタグ情報に基づいて金種が合っているか否かを確認する。ここで確認する金種は、取出指令で指令した結束紙幣の金種とタグ情報から認識した金種であり、一致していない場合は非接触タグの添付機構，結束紙幣の取出機構等の障害として表示部７２に表示し、一致している場合は、確認ＯＫとして束紙幣出金部７１のシャッタ７１ａを開放して取出し可能とする。
【００２０】
束紙幣収納部２０内に収納されている結束紙幣の有り高を精査する場合は、操作部７３から精査の指示をする。図７は、精査時の動作例をフローチャートで示しており、制御部１０では、精査の指示によりタグ読出指令をタグ情報読出手段３０に送信し（ステップＳ１、Ｓ２）、束紙幣収納部２０内に収納されている結束紙幣に添付されている非接触タグの情報をアンテナ部３２ａを介して読出す（ステップＳ３）。そして、タグ情報に基づいて当該結束紙幣の金種を前述の方法により検出し、金種毎に結束紙幣の数を計数する（ステップＳ４）。全てのタグの読出しが完了したのであれば、金種別の計数結果から金種別の合計額、総額、総束数を算出して束紙幣収納部２０内の有り高を検出し、バラ紙幣一時保留部６７、バラ紙幣収納部６８の有り高を含めた装置内の全ての有り高と入出金額とを照合して精査し（ステップＳ５，Ｓ６）、精査結果を表示部７２に表示する（ステップＳ７）。
【００２１】
次に、本発明に係る紙幣処理装置の第２の実施例について説明する。なお、図４に示した第１の実施例と同一構成箇所は同符号を付して説明を省略し、ここでは非接触タグの添付方式について具体例を示して説明する。
【００２２】
図８は、本発明に係る紙幣処理装置の第２の実施例を断面構造図で示しており、非接触タグ添付手段５０Ａの構成以外は、第１の実施例と同一の構成である。図９は、第２の添付形態における非接触タグの添付方式を示しており、第２の実施例では、非接触タグ添付手段５０Ａは、シール状の非接触タグ２ａを例えばロール状に巻回した貼付用帯体５１を備えており、結束紙幣の結束時に、例えば図９中のローラ５２を介して接触タグ２ａを当該結束紙幣の結束用帯体に押し当てて貼着することによって、図３（Ｂ）に示したように非接触タグ２ａを結束紙幣１の上面（若しくは下面）に添付する。
【００２３】
次に、本発明に係る紙幣処理装置の第３の実施例について説明する。なお、図４に示した第１の実施例と同一構成箇所は同符号を付して説明を省略し、第２の実施例と同様に、ここでは非接触タグの添付方式について具体例を示して説明する。
【００２４】
図１０は、本発明に係る紙幣処理装置の第３の実施例を断面構造図で示しており、非接触タグ添付手段５０Ｂの構成以外は、第１及び第２の実施例と同一の構成である。第３の実施例では、図１０中に示すように、非接触タグ添付手段５０Ｃは、シート状の非接触タグ（本例では非接触タグを付したシート）２ｂが収容された収容部からシート２ｂを一枚繰り出し、結束対象の集積紙幣に追加するタグ付きシート追加手段を備えており、結束用紙幣一時保留部６９内の紙幣が所定枚数に達した時点で、結束用紙幣一時保留部６９に集積されている紙幣Ｐの上に追加することによって、図３（Ｃ）に示したように非接触タグ２（２ｂ）を結束紙幣１の上面（若しくは下面）に添付する。
【００２５】
なお、上述した実施の形態では、非接触タグの通信方式として電波（放射電磁界）による通信方式を例として説明したが、電磁誘導，電磁結合，容量結合を利用した通信方式としても良い。また、パッシブ型のタグを例として説明したが、電池を内蔵したタグ、他電源（ソーラー等）を併用したタグを用いるようにしても良い。
【００２６】
【発明の効果】
以上に説明したように、本発明の紙幣処理装置によれば、装置内に収納されている結束紙幣を、機械的に移動することなく、瞬時に検出・精査することができる。また、移動機構を必要とする装置と比較して、機械的移動に伴うジャムやかみ込み等の機械的トラブルが無く、小型な装置を提供することができる。
【図面の簡単な説明】
【図１】本発明の紙幣処理装置に適用されるタグ情報読出手段の構成の一例を示すブロック図である。
【図２】本発明に係る非接触タグの読出方式を説明するための図である。
【図３】非接触タグが添付された結束紙幣の例を示す斜視図である。
【図４】本発明に係る紙幣処理装置の第１の実施例を示す略示断面構造図である。
【図５】本発明に係る紙幣処理装置の主要部の構成例を示すブロック図である。
【図６】第１の実施例における非接触タグの添付方式を説明するための図である。
【図７】精査時の動作例を説明するためのフローチャートである。
【図８】本発明に係る紙幣処理装置の第２の実施例を示す略示断面構造図である。
【図９】第２の添付形態における非接触タグの添付方式を説明するための図である。
【図１０】本発明に係る紙幣処理装置の第３の実施例を示す略示断面構造図である。
【符号の説明】
１  結束紙幣
２  非接触タグ
２ａ  シール状の非接触タグ
２ｂ  シート状の非接触タグ
３，３Ａ  結束用帯体
１０  制御部
２０  束紙幣収容部
３０  タグ情報読出手段
３１  タグリーダ
３２  アンテナ部
４０  タグ情報書出手段
６１  紙幣入金部
５０，５０Ａ、５０Ｂ  非接触タグ添付手段
６１ａ  紙幣入金口
６２  紙幣繰出部
６３  識別部
６４  リジェクト紙幣排出部
６４ａ  リジェクト紙幣排出口
６５  バラ紙幣出金部
６５ａ  バラ紙幣出金口
６６  表裏反転部
６７  バラ紙幣一時保留部
６８  バラ紙幣収納部
６９  結束用紙幣一時保留部
６９ａ  スタッカ
７０  紙幣結束部
７１  束紙幣出金部
７１ａ  シャッタ
７２  表示部
７３  操作部
【図１】
0004653884.tif 000002
【図２】
0004653884.tif 000003
【図３】
0004653884.tif 000004
【図４】
0004653884.tif 000005
【図５】
0004653884.tif 000006
【図６】
0004653884.tif 000007
【図７】
0004653884.tif 000008
【図８】
0004653884.tif 000009
【図９】
0004653884.tif 000010
【図１０】
0004653884.tif 000011